(57)【特許請求の範囲】
【請求項１】
楽器ケース内に設けられた鍵盤部と、
前記楽器ケースにスライド可能に設けられて前記鍵盤部を開閉自在に覆うと共に、開いた状態のときに前記楽器ケース内に後部下がりに収納される鍵盤蓋と、
この鍵盤蓋に連結ワイヤによって取り付けられた錘と、
前記連結ワイヤが巻回されて前記錘の降下動作を前記鍵盤蓋のスライド動作に変換する滑車と、
前記鍵盤蓋が完全に閉じる直前に前記錘の重量を垂直成分と水平成分とに分散させて前記錘の降下動作を制動する制動部材と
を備えたことを特徴とする鍵盤蓋の開閉装置。
【請求項２】
前記制動部材は、前記錘が滑走する滑走面を有し、この滑走面を前記錘の制動に応じた曲率半径の湾曲面に形成したことを特徴とする請求項１に記載の鍵盤蓋の開閉装置。
【請求項３】
前記制動部材は、前記錘が内部を滑走するパイプを有し、このパイプを前記錘の制動に応じた曲率半径で湾曲させたことを特徴とする請求項１に記載の鍵盤蓋の開閉装置。
【請求項４】
前記連結ワイヤは、前記鍵盤蓋に取り付けられた第１ワイヤと、前記錘に取り付けられた第２ワイヤとを有し、前記滑車は、大径滑車部と小径滑車部とが同軸上に一体的に設けられ、そのいずれか一方に前記第１ワイヤが巻き付けられ、他方に前記第２ワイヤが巻き付けられていることを特徴とする請求項１〜３のいずれかに記載の鍵盤蓋の開閉装置。
【発明の詳細な説明】
【技術分野】
【０００１】
この発明は、ピアノなどの鍵盤楽器に用いられる鍵盤蓋の開閉装置に関する。
【背景技術】
【０００２】
例えば、ピアノなどの鍵盤楽器においては、楽器ケース内に鍵盤部を設け、この鍵盤部を開閉自在に覆う鍵盤蓋を楽器ケースに回動可能に取り付け、使用するときに鍵盤蓋を回動させて開くことにより鍵盤部を露出させるように構成したものがある。このような鍵盤楽器では、鍵盤蓋の重量が重いため、鍵盤蓋を閉じるときに指を挟んで怪我をする恐れがある。
【０００３】
そこで、従来の鍵盤楽器においては、特許文献１に記載されているように、鍵盤蓋の後部にレバーを取り付け、このレバーの先端部にワイヤによって複数の錘を取り付け、鍵盤蓋を回動させて閉じるときに、複数の錘が順番に引き上げられることにより鍵盤蓋が閉じる方向と反対方向に段階的に負荷を加え、これにより鍵盤蓋の重量を段階的に軽減するように構成している。
【特許文献１】特開平１０−１０５１５６号
【０００４】
このような鍵盤蓋の開閉装置では、鍵盤蓋を回動させて閉じるときに、複数の錘を順番に引き上げることにより、鍵盤蓋が閉じ始めるときに鍵盤蓋に加わる錘の総重量が軽く、鍵盤蓋が閉じるに伴って段階的に錘の総重量が重くなり、鍵盤蓋が完全に閉じるときに錘の総重量が最も重くなるように、複数の錘による総重量を段階的に変えて鍵盤蓋の閉じる動作を制動し、鍵盤蓋が完全に閉じたときに鍵盤蓋を開く方向の反力が最も大きくなり、鍵盤蓋の重量が最も軽減されるように構成されている。
【発明の開示】
【発明が解決しようとする課題】
【０００５】
しかしながら、このような従来の鍵盤蓋の開閉装置では、鍵盤蓋を閉じるときに、複数の錘を順番に引き上げることにより、複数の錘による総重量を段階的に変えて鍵盤蓋の閉じる動作を段階的に制動しているので、複数の錘を順番に引き上げるための広いスペースが必要となり、装置全体が大型化するという問題があるほか、鍵盤蓋を完全に閉じたときに、鍵盤蓋に加わる錘の総重量が最も重くなり、鍵盤蓋の重量を最も軽減しているので、鍵盤蓋を閉じた状態のときに鍵盤蓋が不安定になりやすいという問題もある。
【０００６】
特に、このような従来の鍵盤装置の開閉装置では、鍵盤蓋を閉じるときに、複数の錘を順番に引き上げることにより、鍵盤蓋が閉じ始めるときに錘の総重量が軽く、鍵盤蓋が閉じるに伴って錘の総重量が段階的に重くなり、鍵盤蓋が完全に閉じるときに錘全体の総重量が最も重くなり、これにより鍵盤蓋が閉じるに従って鍵盤蓋の重量を段階的に軽減しているので、鍵盤蓋を閉じる際の操作が不自然で、違和感があるという問題もある。
【０００７】
この発明が解決しようとする課題は、装置全体のコンパクト化を図り、鍵盤蓋を閉じるときの操作が自然で、安定した状態で鍵盤蓋を閉じることができる鍵盤蓋の開閉装置を提供することである。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
【０００９】
請求項１に記載の発明は、図１〜図６に示すように、楽器ケース（１）内に設けられた鍵盤部（２）と、前記楽器ケースにスライド可能に設けられて前記鍵盤部を開閉自在に覆うと共に、開いた状態のときに前記楽器ケース内に後部下がりに収納される鍵盤蓋（３）と、この鍵盤蓋に連結ワイヤ（１６、３４、４０）によって取り付けられた錘（１７、４２）と、前記連結ワイヤが巻回されて前記錘の降下動作を前記鍵盤蓋のスライド動作に変換する滑車（１８、３０、４１）と、前記鍵盤蓋が完全に閉じる直前に前記錘の重量を垂直成分と水平成分とに分散させて前記錘の降下動作を制動する制動部材（１９、２５、４３、５６）とを備えたことを特徴とする鍵盤蓋の開閉装置である。
【００１０】
請求項２に記載の発明は、図１〜図４に示すように、前記制動部材（１９、２５）が、前記錘（１７）の滑走する滑走面を有し、この滑走面を前記錘の制動に応じた曲率半径（Ｒ１、Ｒ２）の湾曲面（２０、２６）に形成したことを特徴とする請求項１に記載の鍵盤蓋の開閉装置である。
【００１１】
請求項３に記載の発明は、図５および図６に示すように、前記制動部材（４３、５６）は、前記錘（４２）が内部を滑走するパイプ（５０、５７）を有し、このパイプを前記錘の制動に応じた曲率半径（Ｒ１、Ｒ２）で湾曲させたことを特徴とする請求項１に記載の鍵盤蓋の開閉装置である。
【００１２】
請求項４に記載の発明は、図４〜図６に示すように、前記連結ワイヤ（３４、４０）が、前記鍵盤蓋（３）に取り付けられた第１ワイヤ（３５、４８）と、前記錘（１７、４２）に取り付けられた第２ワイヤ（３６、４９）とを有し、前記滑車（３０、４１）は、大径滑車部（３１、４４）と小径滑車部（３２、４５）とが同軸（３３、４６）上に一体的に設けられ、そのいずれか一方（例えば大径滑車部３１、４４、または小径滑車部３２、４５）に前記第１ワイヤが巻き付けられ、他方（例えば小径滑車部３２、４５、または大径滑車部３１、４４）に前記第２ワイヤが巻き付けられていることを特徴とする請求項１〜３のいずれかに記載の鍵盤蓋の開閉装置である。
【発明の効果】
【００１３】
請求項１に記載の発明によれば、楽器ケース内に後部下がりに収納された鍵盤蓋を閉じるときに、錘の重量が連結ワイヤを介して鍵盤蓋を引出す方向に加わるので、鍵盤蓋を閉じ始めるときに錘の重量によって鍵盤蓋を軽い力で引出すことができると共に、錘が降下して鍵盤蓋が完全に閉じる直前で、制動部材が錘の重量を垂直成分と水平成分とに分散させて錘の降下動作を制動するので、鍵盤蓋が完全に閉じるときに、錘の重量による鍵盤蓋の閉じる方向の力を弱くし、鍵盤蓋の閉じる動作を制動することができ、これにより鍵盤蓋が完全に閉じる直前で鍵盤蓋をゆっくり閉じることができる。
【００１４】
このため、鍵盤蓋を閉じるときに、ほぼ一定の力で鍵盤蓋を閉じることができると共に、鍵盤蓋が完全に閉じる直前で鍵盤蓋の閉じる動作を遅くして、鍵盤蓋をゆっくり閉じるので、鍵盤蓋を閉じる際の操作が自然で、安全に閉じることができる。この場合、特に制動部材は錘の重量を垂直成分と水平成分とに分散させて錘の降下動作を制動するので、従来例のように複数の錘を順番に引き上げる広いスペースを必要とせず、装置全体をコンパクトに構成することができる。また、鍵盤蓋が完全に閉じたときに、錘の重量が鍵盤蓋を閉じる方向にほとんど加わらず、鍵盤蓋の重量のみで鍵盤蓋を閉じることができ、これにより鍵盤蓋を安定した状態で閉じることができる。
【００１５】
請求項２に記載の発明によれば、制動部材が錘の滑走する滑走面を有し、この滑走面を錘の制動に応じた曲率半径の湾曲面に形成したことにより、錘が降下して滑走面を滑走するときに、この滑走面が湾曲面に形成されているので、錘の降下動作を確実に且つ微妙に制動することができる。特に、湾曲面の曲率半径が錘の制動に応じて設定されていることにより、錘の降下動作を効果的に制動することができる。例えば、曲率半径を小さくすると、錘の降下動作を急速に制動することができ、また曲率半径を大きくすると、錘の降下動作を緩やかに制動することができる。
【００１６】
請求項３に記載の発明によれば、制動部材は錘が内部を滑走するパイプを有し、このパイプを錘の制動に応じた曲率半径で湾曲させたことにより、錘が湾曲したパイプの内部を滑走するので、錘が横振れすることがなく、常に所定の移動軌跡上で錘を移動させることができ、これにより錘の降下動作を常に一定の安定した状態で制動することができる。また、この場合にも、請求項２に記載の発明と同様、パイプの曲率半径が錘の制動に応じて設定されていることにより、錘の降下動作を効果的に制動することができ、これにより、より一層、錘の降下動作を確実に且つ微妙に制動することができる。
【００１７】
請求項４に記載の発明によれば、連結ワイヤが鍵盤蓋に取り付けられた第１ワイヤと、錘に取り付けられた第２ワイヤとを有し、滑車は、大径滑車部と小径滑車部とが同軸上に一体的に設けられ、そのいずれか一方に第１ワイヤが巻き付けられ、他方に第２ワイヤが巻き付けられていることにより、滑車の大径滑車部と小径滑車部との半径が異なるので、錘の重量および錘の移動長さを変えることができると共に、滑車の大径滑車部と小径滑車部とに巻き付けられる第１、第２ワイヤを変更することによっても、錘の重量および錘の移動長さを変えることができる。
【００１８】
例えば、滑車の大径滑車部に鍵盤蓋の第１ワイヤを巻き付け、小径滑車部に錘の第２ワイヤを巻き付ければ、錘の重量は重くなるが、錘の移動長さを鍵盤蓋の移動長さよりも短くすることができ、これにより装置全体の更なる小型化を図ることができる。また、滑車の大径滑車部に錘の第２ワイヤを巻き付け、小径滑車部に鍵盤蓋の第１ワイヤを巻き付ければ、錘の移動長さが鍵盤蓋の移動長さよりも長くなるが、錘の重量を軽くすることができ、これにより装置全体の軽量化を図ることができる。
【発明を実施するための最良の形態】
【００１９】
（実施形態１）
以下、図１および図２を参照して、この発明を鍵盤楽器に適用した実施形態１について説明する。
図１はこの発明の鍵盤楽器を示した断面図、図２はその鍵盤楽器に組み込まれる鍵盤蓋の開閉装置を示した原理図である。
この鍵盤楽器は、図１に示すように、楽器ケース１を備え、この楽器ケース１内の前側（図１では左側）に鍵盤部２が配置され、この鍵盤部２の上側に鍵盤蓋３が開閉自在に設けられた構成になっている。
【００２０】
楽器ケース１は、図１に示すように、底板４を備えている。この底板４の前端部（図１では左端部）には、前板５が立設されており、この底板４の後端部（図１では右端部）には、後板６が立設されている。また、底板４の両側部（図１では紙面の表裏面方向）には、側板７が立設されており、これら側板７の上部における後部間（図１では右側部の間）には、天板８が後板６の上端部に載置されて設けられている。これにより、楽器ケース１は、前板５と天板８との間が上方に開放され、この開放された部分から鍵盤部２が上側に露出するように構成されている。
【００２１】
鍵盤部２は、図１に示すように、白鍵および黒鍵などの鍵１０を鍵盤シャーシ１１上に配置したものであり、楽器ケース１内の底板４上に配置され、この状態で鍵盤シャーシ１１上の複数の鍵１０が前板５と天板８との間に位置して上部側に露出するように構成されている。また、鍵盤蓋３は、図１および図２に示すように、複数の蓋体１２を屈曲可能なシート部材１３で順次折れ曲がり可能に連結したものであり、楽器ケース１内の上部側に前後方向（図１では左右方向）にスライド可能に設けられ、これにより鍵盤部２を開閉自在に覆うように構成されている。
【００２２】
すなわち、この鍵盤蓋３は、図１に２点鎖で示すように、閉じるときに前板５と天板８との間に位置する側板７の上辺に沿って設けられたガイドレール１４上を複数の蓋体１２がスライドしてほぼ平板状に配置される。また、この鍵盤蓋３は、図１に実線で示すように、開くときに楽器ケース１内の上側中間部分に設けられガイドローラ１５によってガイドされて複数の蓋体１２が順次折れ曲がりながら、楽器ケース１内の後部側に垂れ下がって収納される。
【００２３】
この鍵盤蓋３の開閉装置は、図２に示すように、鍵盤蓋３に連結ワイヤ１６によって取り付けられた錘１７と、この連結ワイヤ１６が巻回されて錘１７の降下動作を鍵盤蓋３のスライド動作に変換する滑車１８と、鍵盤蓋３が完全に閉じる直前に錘１７の降下動作を制動する制動部材１９とを備えている。この場合、連結ワイヤ１６は、その一端部が鍵盤蓋３の先端面における両側（図２では片側のみを示す）に取り付けられ、他端部に錘１７が取り付けられている。滑車１８は、楽器ケース１の前側上部、つまりガイドレール１４の先端付近に配置され、図２に示すように、連結ワイヤ１６が巻回されて錘１７の降下動作を鍵盤蓋３のスライド動作に変換するように構成されている。これにより、錘１７は、その重量が鍵盤蓋３を引出して閉じる方向に加わるように構成されている。
【００２４】
また、制動部材１９は、楽器ケース１内の前部に配置され、図２に示すように、錘１７が滑走する滑走面が錘１７の制動に応じた曲率半径Ｒ１の湾曲面２０に形成されている。すなわち、この制動部材１９は、鍵盤蓋３が完全に閉じる直前に、錘１７が湾曲面２０を滑走することにより、錘１７の重量を垂直成分と水平成分とに分散させて錘１７の降下動作を湾曲面２０で制動するように構成されている。この場合、湾曲面２０は、その上部側がほぼ垂直面に形成され、中間部が曲率半径Ｒ１の円弧面に形成され、下部側がほぼ水平面に形成されている。
【００２５】
これにより、湾曲面２０は、図２に示すように、その上部側の垂直面を錘１７が滑走するときに錘１７の重量がほぼ垂直成分のみとなり、中間部の円弧面を滑走するときに錘１７の重量が垂直成分と水平成分とに分散され、下部側の水平面を滑走するときに錘１７の重量がほぼ水平成分のみとなり、これにより錘１７の速度を急速に減速するように構成されている。なお、このような鍵盤蓋３の開閉装置は、鍵盤部２の両側にそれぞれ設けられ、連結ワイヤ１６や錘１７、滑車１８、および制動部材１９が鍵盤部２の鍵操作の邪魔にならないように配置されている。
【００２６】
このような鍵盤蓋３の開閉装置によれば、楽器ケース１内に後部が垂れ下がって収納された鍵盤蓋３を引出して閉じるときに、錘１７の重量が連結ワイヤ１６を介して鍵盤蓋３を引出す方向に加わるので、鍵盤蓋３を閉じ始めるときに錘１７の重量によって鍵盤蓋３を軽い力で閉じる方向に引出すことができると共に、錘１７が降下して鍵盤蓋３が完全に閉じる直前で、錘１７が制動部材１９の湾曲面２０を滑走することにより、錘１７の重量が垂直成分と水平成分とに分散されて錘１７の降下動作が制動されるので、鍵盤蓋３が完全に閉じるときに、錘１７の重量による鍵盤蓋３の閉じる方向の力が弱くなり、鍵盤蓋３の閉じる動作を制動することができ、これにより鍵盤蓋３が完全に閉じる直前で鍵盤蓋３をゆっくり閉じることができる。
【００２７】
このため、鍵盤蓋３を閉じるときに、ほぼ一定の力で鍵盤蓋３を閉じることができると共に、鍵盤蓋３が完全に閉じる直前で鍵盤蓋３の閉じる動作が遅くなり、鍵盤蓋３をゆっくり閉じるので、鍵盤蓋３を閉じる際の操作が自然で、安全に閉じることができる。この場合、制動部材１９はその湾曲面２０で錘１７の降下動作を制動するので、従来例のように複数の錘を順番に引き上げる広いスペースを必要とせず、装置全体をコンパクトに構成することができる。また、鍵盤蓋３が完全に閉じたときに、錘１７の重量が鍵盤蓋３を閉じる方向にほとんど加わらず、鍵盤蓋３の重量のみで鍵盤蓋３を閉じることができ、これにより鍵盤蓋３を安定した状態で閉じることができる。
【００２８】
特に、制動部材１９は、錘１７が滑走する滑走面が錘１７の制動に応じた曲率半径Ｒ１の湾曲面２０に形成されていることにより、錘１７が降下して湾曲面２０を滑走するときに、湾曲面２０によって錘１７の降下動作を確実に且つ微妙に制動することができる。この場合、湾曲面２０の曲率半径Ｒ１が錘１７の制動に応じて設定されていることにより、錘１７の降下動作を効果的に制動することができる。すなわち、図２に示すように、湾曲面２０の曲率半径Ｒ１を小さくすると、その上部側の垂直面を錘１７が滑走するときに錘１７の重量がほぼ垂直成分のみとなり、中間部の円弧面を滑走するときに錘１７の重量が垂直成分と水平成分とに分散され、下部側の水平面を滑走するときに錘１７の重量がほぼ水平成分のみとなり、これにより錘１７の降下速度を急速に遅くすることができる。
【００２９】
なお、上記実施形態１では、湾曲面２０の曲率半径Ｒ１を小さくして、錘１７の降下動作を急速に制動した場合について述べたが、これに限らず、例えば図３に示すように、制動部材２５の滑走面を曲率半径Ｒ２（Ｒ２＞Ｒ１）の大きい湾曲面２６に形成しても良い。すなわち、この湾曲面２６は、図３に示すように、その上部側がほぼ垂直面に形成され、中間部が曲率半径Ｒ２の円弧面に形成され、下部側が緩やかに傾斜する傾斜面に形成されている。
【００３０】
これにより、湾曲面２６は、その上部側の垂直面を錘１７が滑走するときに錘１７の重量がほぼ垂直成分のみとなり、中間部の円弧面を滑走するときに錘１７の重量が垂直成分と水平成分とに分散され、下部側の傾斜面を滑走するときに錘１７の重量が水平成分のみにならず、傾斜面の傾斜角度に応じて垂直成分が少し残るとになり、これにより錘１７の速度を緩やかに減速するように構成されている。このように構成すれば、湾曲面２６の曲率半径Ｒ２が実施形態１の湾曲面２０の曲率半径Ｒ１よりも大きいので、実施形態１よりも錘１７の降下動作を緩やかに制動することができ、これにより鍵盤蓋３を実施形態１よりも少し速く閉めることができる。
【００３１】
（実施形態２）
次に、図４を参照して、この発明を鍵盤楽器に適用した実施形態２について説明する。なお、図１および図２に示された実施形態１と同一部分には同一符号を付して説明する。
この鍵盤楽器における鍵盤蓋３の開閉装置は、滑車３０が大径滑車部３１と小径滑車部３２とを備え、連結ワイヤ３４が、鍵盤蓋３に取り付けられた第１ワイヤ３５と、錘１７に取り付けられた第２ワイヤ３６とを有する構成で、これ以外は実施形態１とほぼ同じ構成になっている。
【００３２】
すなわち、滑車３０は、図４に示すように、大径滑車部３１と小径滑車部３２とが同一の軸３３に一体に設けられ、これにより大径滑車部３１と小径滑車部３２との両者が軸３３を中心に一体に回転するように構成されている。また、連結ワイヤ３４は、図４に示すように、鍵盤蓋３に取り付けられた第１ワイヤ３５が大径滑車部３１に巻き付けられ、錘１７に取り付けられた第２ワイヤ３６が小径滑車部３２に巻き付けられている。
【００３３】
これにより、連結ワイヤ３４は、図４に示すように、鍵盤蓋３が閉じる方向にスライドしたきに、第１ワイヤ３５が大径滑車部３１に順次巻き取られると共に、小径滑車部３２に巻き付けられた第２ワイヤ３６が小径滑車部３２から順次繰り出されて錘１７が降下し、逆に鍵盤蓋３が開く方向にスライドするときに、大径滑車部３１に巻き付けられた第１ワイヤ３５が大径滑車部３１から順次繰り出されると共に、第２ワイヤ３６が小径滑車部３２に順次巻き取られて錘１７が上昇するように構成されている。
【００３４】
このような鍵盤蓋３の開閉装置によれば、錘１７の降下動作を制動部材１９の湾曲面２０によって制動しているので、実施形態１と同様の作用効果があるほか、特に滑車３０が大径滑車部３１と小径滑車部３２とを同一の軸３３に一体に設けた構成であるから、滑車３０の大径滑車部３１と小径滑車部３２との半径が異なり、これにより錘１７の重量および錘１７の移動長さを変えることができる。
【００３５】
すなわち、連結ワイヤ３４が、鍵盤蓋３に取り付けられた第１ワイヤ３５と、錘１７に取り付けられた第２ワイヤ３６とを有し、第１ワイヤ３５が大径滑車部３１に巻き付けられ、第２ワイヤ３６が小径滑車部３２に巻き付けられているので、錘１７の重量を重くすることにより、実施形態１と同じ動作速度で鍵盤蓋３を動作させることができるほか、大径滑車部３１と小径滑車部３２との回転数が同じであることにより、小径滑車部３２に巻き付けられる第２ワイヤ３６の巻回量が、大径滑車部３１に巻き付けられる第１ワイヤ３５の巻回量よりも少ないので、錘１７の移動長さを鍵盤蓋３の移動長さよりも短くすることができ、これにより装置全体の更なる小型化を図ることができる。
【００３６】
なお、上記実施形態２では、鍵盤蓋３に取り付けられた第１ワイヤ３５を滑車３０の大径滑車部３１に巻き付け、錘１７に取り付けられた第２ワイヤ３６を滑車３０の小径滑車部３２に巻き付けた場合について述べたが、これに限らず、例えば鍵盤蓋３に取り付けられた第１ワイヤ３５を滑車３０の小径滑車部３２に巻き付け、錘１７に取り付けられた第２ワイヤ３６を滑車３０の大径滑車部３１に巻き付けた構成でも良い。このように構成すれば、錘１７の移動長さが鍵盤蓋３の移動長さよりも長くなるが、錘１７の重量を軽くすることができ、これにより装置全体の軽量化を図ることができる。
【００３７】
（実施形態３）
次に、図５を参照して、この発明を鍵盤楽器に適用した実施形態３について説明する。この場合にも、図１および図２に示された実施形態１と同一部分に同一符号を付して説明する。
この鍵盤楽器における鍵盤蓋３の開閉装置は、鍵盤蓋３の後端部に連結ワイヤ４０を取り付け、楽器ケース１内の後側上部に滑車４１を取り付け、この滑車４１に連結ワイヤ４０を巻回させ、この連結ワイヤ４０に錘４２を取り付け、この錘４２の降下動作を制動部材４３で制動する構成で、これ以外は実施形態１とほぼ同じ構成になっている。
【００３８】
この場合、滑車４１は、図５に示すように、大径滑車部４４と小径滑車部４５とが同一の軸４６に一体に設けられ、これにより大径滑車部４４と小径滑車部４５との両者が軸４６を中心に一体に回転するように構成されている。また、連結ワイヤ４０は、図５に示すように、鍵盤蓋３の後端部に設けられたワイヤ取付部４７に取り付けられた第１ワイヤ４８と、錘４２に取り付けられた第２ワイヤ４９とを有し、第１ワイヤ４８が滑車４１の大径滑車部４４に巻き付けられ、第２ワイヤ４９が滑車４１の小径滑車部４５に巻き付けられている。
【００３９】
また、錘４２は、図５に示すように、球形状に形成されている。制動部材４３は、球形状の錘４２が内部を滑走する湾曲したパイプ５０を備え、このパイプ５０がパイプ取付部材５１によって楽器ケース１の後板６の内面に取り付けられた構成になっている。この場合、パイプ５０は、その下端部が楽器ケース１の左右方向（図５では紙面の表裏面方向）に向いて配置され、これにより鍵盤蓋３が楽器ケース１内の後部側に垂れ下がって収納されても、その鍵盤蓋３がパイプ５０の下部側に当接しないように配置されている。
【００４０】
また、この制動部材４３は、パイプ５０が錘４２の制動に応じた曲率半径Ｒ１で湾曲して形成され、鍵盤蓋３が完全に閉じる直前に、錘４２が湾曲したパイプ５０内を滑走することにより、錘４２の重量を垂直成分と水平成分とに分散させて錘４２の降下動作を湾曲したパイプ５０で制動するように構成されている。すなわち、このパイプ５０は、図５に示すように、その上部側がほぼ垂直に形成され、中間部が曲率半径Ｒ１の円弧状に形成され、下部側がほぼ水平に形成されている。
【００４１】
これにより、パイプ５０は、図５に示すように、その上部側の垂直部内を錘４２が滑走するときに錘４２の重量がほぼ垂直成分のみとなり、中間部の円弧部内を滑走するときに錘４２の重量が垂直成分と水平成分とに分散され、下部側の水平部内を滑走するときに錘４２の重量がほぼ水平成分のみになり、これにより錘４２の速度を急速に減速するように構成されている。
【００４２】
このような鍵盤蓋３の開閉装置によれば、実施形態１と同様、楽器ケース１内に後部が垂れ下がって収納された鍵盤蓋３を閉じるときに、錘４２の重量が連結ワイヤ４０を介して鍵盤蓋３の後端部を引き上げる方向に加わるので、鍵盤蓋３を閉じ始めるときに錘４２の重量によって鍵盤蓋３を軽い力で閉じる方向に引出すことができると共に、錘４２が降下して鍵盤蓋３が完全に閉じる直前で、錘４２が制動部材４３の湾曲したパイプ５０内を滑走することにより、錘４２の重量を垂直成分と水平成分とに分散して錘４２の降下動作を制動するので、鍵盤蓋３が完全に閉じるときに、錘４２の重量による鍵盤蓋３の閉じる方向の力が弱くなり、鍵盤蓋３の閉じる動作を制動することができ、これにより鍵盤蓋３が完全に閉じる直前で鍵盤蓋３をゆっくり閉じることができる。
【００４３】
このため、この実施形態３においても、鍵盤蓋３を閉じるときに、ほぼ一定の力で鍵盤蓋３を閉じることができると共に、鍵盤蓋３が完全に閉じる直前で鍵盤蓋３の閉じる動作が遅くなり、鍵盤蓋３がゆっくり閉じるので、鍵盤蓋３を閉じる際の操作が自然で、安全に閉じることができる。この場合にも、制動部材４３はその湾曲したパイプ５０によって錘４２の降下動作を制動するので、従来例のように複数の錘を順番に引き上げる広いスペースを必要とせず、装置全体をコンパクトに構成することができる。また、鍵盤蓋３が完全に閉じたときに、錘４２の重量が鍵盤蓋３を閉じる方向にほとんど加わらず、鍵盤蓋３の重量のみで鍵盤蓋３を閉じることができ、これにより鍵盤蓋３を安定した状態で閉じることができる。
【００４４】
特に、この制動部材４３は、錘４２が内部を滑走するパイプ５０を備えているので、錘４２が横振れすることがなく、常に錘４２を所定の移動軌跡上で錘４２を移動させることができ、これにより錘４２の降下動作を常に一定の安定した状態で制動することができる。この場合、制動部材４３のパイプ５０が錘４２の制動に応じた曲率半径Ｒ１で湾曲して形成されているので、錘４２が湾曲したパイプ５０内を降下して滑走するときに、パイプ５０の湾曲した部分によって錘４２の降下動作を確実に且つ微妙に制動することができる。
【００４５】
また、この制動部材４３は、パイプ５０の曲率半径Ｒ１が錘４２の制動に応じて設定されていることにより、実施形態１と同様、錘４２の降下動作を効果的に制動することができる。すなわち、図５に示すように、パイプ５０の曲率半径Ｒ１を小さくすると、その上部側の垂直部内を錘４２が滑走するときに錘４２の重量がほぼ垂直成分のみとなり、中間部の円弧部内を滑走するときに錘４２の重量が垂直成分と水平成分とに分散され、下部側の水平部内を滑走するときに錘４２の重量がほぼ水平成分のみとなり、これにより実施形態１と同様、錘４２の降下速度を急速に遅くすることができる。
【００４６】
さらに、この鍵盤蓋３の開閉装置においても、実施形態２と同様、滑車４１が大径滑車部４４と小径滑車部４５とを同一の軸４６に一体に設けた構成であるから、滑車４１の大径滑車部４４と小径滑車部４５との半径が異なり、これにより錘４２の重量および錘４２の移動長さを変えることができる。すなわち、連結ワイヤ４０が鍵盤蓋３に取り付けられた第１ワイヤ４８と、錘４２に取り付けられた第２ワイヤ４９とを有し、第１ワイヤ４８が大径滑車部４４に巻き付けられ、第２ワイヤ４９が小径滑車部４５に巻き付けられているので、錘４２の重量を重くすることにより、実施形態１と同じ動作速度で鍵盤蓋３を動作させることができるほか、錘４２の移動長さを鍵盤蓋３の移動長さよりも短くすることができ、これにより装置全体の更なる小型化を図ることができる。
【００４７】
（実施形態４）
次に、図６を参照して、この発明を鍵盤楽器に適用した実施形態４について説明する。この場合には、図５に示された実施形態３と同一部分に同一符号を付して説明する。
この鍵盤楽器は、楽器ケース１をスタンド部５５で支持し、このスタンド部５５内に錘４２の降下動作を制動する制動部材５６を設けた構成で、これ以外は実施形態３とほぼ同じ構成になっている。
【００４８】
すなわち、この制動部材５６は、実施形態３と同様、球形状の錘４２が内部を滑走する湾曲したパイプ５７を備え、このパイプ５７がパイプ取付部材５１によって楽器ケース１を支持するスタンド部５５内に取り付けられている。また、この制動部材５６は、錘４２の制動に応じた曲率半径Ｒ２で緩やかに湾曲して形成され、鍵盤蓋３が完全に閉じる直前に、錘４２が湾曲したパイプ５７内を滑走することにより、錘４２の重量を垂直成分と水平成分とに分散させて、錘４２の降下動作を湾曲したパイプ５７で緩やかに制動するように構成されている。
【００４９】
この場合、パイプ５７は、図６に示すように、その上部側がほぼ垂直に形成され、中間部が曲率半径Ｒ２の円弧状に形成され、下部側が緩やかに傾斜する傾斜状に形成されている。これにより、パイプ５７は、その上部側の垂直部内を錘４２が滑走するときに錘４２の重量がほぼ垂直成分のみとなり、中間部の円弧部内を滑走するときに錘４２の重量が垂直成分と水平成分とに分散され、下部側の傾斜部内を滑走するときに錘４２の重量が水平成分のみにならず、傾斜部の傾斜角度に応じて垂直成分が少し残るとになり、これにより錘４２の速度を緩やかに減速するように構成されている。
【００５０】
また、滑車４１は、実施形態３と同様、大径滑車部４４と小径滑車部４５とが同一の軸４６に一体に設けられ、これにより大径滑車部４４と小径滑車部４５との両者が軸４６を中心に一体に回転するように構成されている。この場合、連結ワイヤ４０は、鍵盤蓋３の後端部に設けられたワイヤ取付部４７に取り付けられた第１ワイヤ４８と、錘４２に取り付けられた第２ワイヤ４９とを有し、図６に示すように、第１ワイヤ４８が滑車４１の小径滑車部４５に巻き付けられ、第２ワイヤ４９がスタンド部５５の内部から楽器ケース１の底板４に設けられた貫通孔４ａを通して滑車４１の大径滑車部４４に巻き付けられている。
【００５１】
このような鍵盤蓋３の開閉装置によれば、実施形態３と同様の作用効果があるほか、特に楽器ケース１を支持するスタンド部５５内に制動部材５６が設けられ、この制動部材５６がその内部を錘４２が滑走するパイプ５７を備え、このパイプ５７が錘４２の制動に応じた曲率半径Ｒ２で緩やかに湾曲して形成されているので、錘４２の降下動作を効果的に制動することができる。すなわち、この制動部材５６のパイプ５７は、図６に示すように、その上部側がほぼ垂直に形成され、中間部が曲率半径Ｒ２の円弧状に形成され、下部側が緩やかに傾斜する傾斜状に形成されているので、錘４２の降下動作を緩やかに制動することができ、これにより鍵盤蓋３を速やかに閉めることができる。
【００５２】
つまり、この制動部材５６は、パイプ５７の上部側の垂直部内を錘４２が滑走するときに錘４２の重量がほぼ垂直成分のみとなり、中間部の円弧部内を滑走するときに錘４２の重量が垂直成分と水平成分とに分散され、下部側の傾斜部内を滑走するときに錘４２の重量が水平成分のみにならず、傾斜部の傾斜角度に応じて垂直成分が少し残るとになり、これにより錘４２の速度を緩やかに減速することができる。このため、パイプ５７の曲率半径Ｒ２が実施形態３のパイプ５０の曲率半径Ｒ１よりも大きいので、実施形態３よりも錘４２の降下動作を緩やかに制動することができ、これにより鍵盤蓋３を実施形態３よりも少し速く閉めることができる。
【００５３】
また、この鍵盤蓋３の開閉装置では、滑車４１が大径滑車部４４と小径滑車部４５とを同一の軸４６に一体に設けた構成であるから、滑車４１の大径滑車部４４と小径滑車部４５との半径が異なり、これにより錘４２の重量および錘４２の移動長さを変えることができる。すなわち、鍵盤蓋３に取り付けられた第１ワイヤ４８が滑車４１の小径滑車部４５に巻き付けられ、錘４２に取り付けられた第２ワイヤ４９が滑車４１の大径滑車部４４に巻き付けられているので、錘４２の重量を軽くすることができ、これにより装置全体の軽量化を図ることができる。この場合、錘４２の移動長さは鍵盤蓋３の移動長さよりも長くなるが、スタンド部５５を備えているので、このスタンド部５５内に十分に設置スペースを確保することができる。
【００５４】
なお、上記実施形態３、４では、鍵盤蓋３の後端部に連結ワイヤ４０で錘４２を取り付け、この錘４２を制動部材４３、５６のパイプ５０、５７内で滑走させて制動する場合について述べたが、これに限らず、例えば実施形態１、２およびその変形例と同様、鍵盤蓋３の前部側に設けても良く、また制動部材４３、５６のパイプ５０、５７に代えて、実施形態１、２およびその変形例の制動部材１９、２５を用いても良い。
【００５５】
また、上記実施形態１〜４およびその変形例では、錘１７、４２を制動部材１９、２５、４３、５６で滑走させて制動するように構成したが、これに限らず、例えば錘１７、４２の滑走面、または錘１７、４２の表面に摩擦部材を設け、この摩擦部材の摩擦によって更に制動するように構成しても良い。
【００５６】
さらに、上記実施形態１〜４およびその変形例では、鍵盤蓋３が複数の蓋体１２を屈曲可能なシート部材１３で順次折れ曲がり可能に連結した構成である場合について述べたが、これに限らず、２枚の蓋体を蝶番で折れ曲がり可能に連結し、閉じたときに両者がほぼ平板状をなし、開いたときに２枚の蓋体が折れ曲がって後部側の蓋体が楽器ケース１内に起立して収納される構成でも良く、また鍵盤蓋を１枚の平板で構成し、鍵盤蓋を開いたときに平板の後部が下がって楽器ケース１内に収納される構成でも良い。
【図面の簡単な説明】
【００５７】
【図１】この発明を適用した鍵盤楽器を示した断面図である。（実施形態１）
【図２】図１の鍵盤楽器に組み込まれる鍵盤蓋の開閉装置を示した原理図である。
【図３】実施形態１の鍵盤蓋の開閉装置の変形例を示した原理図である。
【図４】この発明の鍵盤蓋の開閉装置を示した原理図である。（実施形態２）
【図５】この発明を適用した鍵盤楽器を示した断面図である。（実施形態３）
【図６】この発明を適用した鍵盤楽器を示した断面図である。（実施形態４）
【符号の説明】
【００５８】
１  楽器ケース
２  鍵盤部
３  鍵盤蓋
１６、３４、４０  連結ワイヤ
１７、４２  錘
１８、３０、４１  滑車
１９、２５、４３、５６  制動部材
２０、２６  湾曲面
３１、４４  大径滑車部
３２、４５  小径滑車部
３５、４８  第１ワイヤ
３６、４９  第２ワイヤ
５０、５７  パイプ
【図１】
0004635923.tif 000002
【図２】
0004635923.tif 000003
【図３】
0004635923.tif 000004
【図４】
0004635923.tif 000005
【図５】
0004635923.tif 000006
【図６】
0004635923.tif 000007